(57)【要約】  本発明の実施形態は、拡張システム情報復号のためのデバイス、システムおよび方法を含む。たとえば、マルチＳＩＭワイヤレス通信デバイスによるワイヤレス通信のための方法について説明する。本方法は、第１のサブスクリプションのためのシステム情報（ＳＩ）メッセージに関連付けられたタイムコード（ＴＣ）を決定することを含む。本方法はまた、第１のサブスクリプションのための複数のＳＩメッセージが同じＴＣ上で送られていると決定することを含む。本方法は、追加のサブスクリプションのアクティビティがプリエンプトされ得るとき、第１のサブスクリプションのためのＳＩメッセージを復号することを優先させることをさらに含む。他の態様、実施形態、および特徴も請求され、説明される。
2017525211.tif 000002
【特許請求の範囲】
【請求項１】
マルチＳＩＭワイヤレス通信デバイスによるワイヤレス通信のための方法であって、
第１のサブスクリプションのためのシステム情報（ＳＩ）メッセージに関連付けられたタイムコード（ＴＣ）を決定することと、
前記第１のサブスクリプションのための複数のＳＩメッセージが前記同じＴＣ上で送られていると決定することと、
追加のサブスクリプションのアクティビティがプリエンプトされ得るとき、前記第１のサブスクリプションのための前記ＳＩメッセージを復号することを優先させることと
を備える、方法。
【請求項２】
前記第１のサブスクリプションのための前記ＳＩメッセージを復号することを優先させることが、前記追加のサブスクリプションの前記アクティビティを実行する前に前記第１のサブスクリプションによる前記同じＴＣの４つの連続する復号を実行することを備える、請求項１に記載の方法。
【請求項３】
前記追加のサブスクリプションの前記アクティビティがプリエンプトされ得るかどうかを決定することをさらに備える、請求項１に記載の方法。
【請求項４】
前記追加のサブスクリプションの前記アクティビティがプリエンプトされ得るかどうかを決定することは、前記追加のサブスクリプションが、ＳＩメッセージを復号することよりもより優先度の低いアクティビティを実行しているかどうかを決定することを備える、請求項３に記載の方法。
【請求項５】
前記より優先度の低いアクティビティが、同期チャネル（ＳＣＨ）読取り、ブロードキャスト制御チャネル（ＢＣＣＨ）読取り、ページングチャネル（ＰＣＨ）読取り、またはネイバーセル収集のうちの少なくとも１つを備える、請求項４に記載の方法。
【請求項６】
前記追加のサブスクリプションが、ＳＩメッセージを復号することよりもより優先度の高いアクティビティを実行しているとき、前記方法は、前記追加のサブスクリプションによる前記より優先度の高いアクティビティの完了後に前記第１のサブスクリプションによる前記同じＴＣの４つの連続する復号に適応するために、システム情報タイマーを増加させることをさらに備える、請求項４に記載の方法。
【請求項７】
前記より優先度の高いアクティビティが、ロケーションエリア更新（ＬＡＵ）およびルーティングエリア更新（ＲＡＵ）のうちの少なくとも１つを備える、請求項６に記載の方法。
【請求項８】
前記ワイヤレス通信デバイスは、マルチ加入者識別モジュール（ＳＩＭ）マルチスタンバイデバイスであり、ここにおいて、前記第１のサブスクリプションが１つの加入者識別モジュール（ＳＩＭ）に関連付けられ、前記追加のサブスクリプションが追加のＳＩＭに関連付けられ、ここにおいて、各サブスクリプションが単一の無線周波数（ＲＦ）リソースを共有する、請求項１に記載の方法。
【請求項９】
前記第１のサブスクリプションがシステム情報収集状態にある、請求項１に記載の方法。
【請求項１０】
プロセッサと、
前記プロセッサと電子通信しているメモリと、
前記メモリに記憶された命令と
を備え、前記命令は、
第１のサブスクリプションのためのシステム情報（ＳＩ）メッセージに関連付けられたタイムコード（ＴＣ）を決定することと、
前記第１のサブスクリプションのための複数のＳＩメッセージが前記同じＴＣ上で送られていると決定することと、
追加のサブスクリプションのアクティビティがプリエンプトされ得るとき、前記第１のサブスクリプションのための前記ＳＩメッセージを復号することを優先させることと
を行うためにプロセッサによって実行可能である、
ワイヤレス通信のための装置。
【請求項１１】
前記第１のサブスクリプションのための前記ＳＩメッセージを復号することを優先させるために実行可能な前記命令が、前記追加のサブスクリプションの前記アクティビティを実行する前に前記第１のサブスクリプションによる前記同じＴＣの４つの連続する復号を実行するために実行可能な命令を備える、請求項１０に記載の装置。
【請求項１２】
前記追加のサブスクリプションの前記アクティビティがプリエンプトされ得るかどうかを決定するために実行可能な命令をさらに備える、請求項１０に記載の装置。
【請求項１３】
前記追加のサブスクリプションの前記アクティビティがプリエンプトされ得るかどうかを決定するために実行可能な前記命令は、前記追加のサブスクリプションが、ＳＩメッセージを復号することよりもより優先度の低いアクティビティを実行しているかどうかを決定するために実行可能な命令を備える、請求項１２に記載の装置。
【請求項１４】
前記より優先度の低いアクティビティが、同期チャネル（ＳＣＨ）読取り、ブロードキャスト制御チャネル（ＢＣＣＨ）読取り、ページングチャネル（ＰＣＨ）読取り、またはネイバーセル収集のうちの少なくとも１つを備える、請求項１３に記載の装置。
【請求項１５】
前記追加のサブスクリプションが、ＳＩメッセージを復号することよりもより優先度の高いアクティビティを実行しているとき、前記命令は、前記追加のサブスクリプションによる前記より優先度の高いアクティビティの完了後に前記第１のサブスクリプションによる前記同じＴＣの４つの連続する復号に適応するために、システム情報タイマーを増加させるためにさらに実行可能である、請求項１３に記載の装置。
【請求項１６】
前記より優先度の高いアクティビティが、ロケーションエリア更新（ＬＡＵ）およびルーティングエリア更新（ＲＡＵ）のうちの少なくとも１つを備える、請求項１５に記載の装置。
【請求項１７】
第１のサブスクリプションのためのシステム情報（ＳＩ）メッセージに関連付けられたタイムコード（ＴＣ）を決定するための手段と、
前記第１のサブスクリプションのための複数のＳＩメッセージが前記同じＴＣ上で送られていると決定するための手段と、
追加のサブスクリプションのアクティビティがプリエンプトされ得るとき、前記第１のサブスクリプションのための前記ＳＩメッセージを復号することを優先させるための手段と
を備える、ワイヤレスデバイス。
【請求項１８】
前記第１のサブスクリプションのための前記ＳＩメッセージを復号することを優先させるための前記手段が、前記追加のサブスクリプションの前記アクティビティを実行する前に前記第１のサブスクリプションによる前記同じＴＣの４つの連続する復号を実行するための手段を備える、請求項１７に記載のワイヤレスデバイス。
【請求項１９】
前記追加のサブスクリプションの前記アクティビティがプリエンプトされ得るかどうかを決定するための手段をさらに備える、請求項１７に記載のワイヤレスデバイス。
【請求項２０】
前記追加のサブスクリプションの前記アクティビティがプリエンプトされ得るかどうかを決定するための前記手段は、前記追加のサブスクリプションが、ＳＩメッセージを復号することよりもより優先度の低いアクティビティを実行しているかどうかを決定するための手段を備える、請求項１９に記載のワイヤレスデバイス。
【請求項２１】
前記より優先度の低いアクティビティが、同期チャネル（ＳＣＨ）読取り、ブロードキャスト制御チャネル（ＢＣＣＨ）読取り、ページングチャネル（ＰＣＨ）読取り、またはネイバーセル収集のうちの少なくとも１つを備える、請求項２０に記載のワイヤレスデバイス。
【請求項２２】
前記追加のサブスクリプションが、ＳＩメッセージを復号することよりもより優先度の高いアクティビティを実行しているとき、前記ワイヤレスデバイスは、前記追加のサブスクリプションによる前記より優先度の高いアクティビティの完了後に前記第１のサブスクリプションによる前記同じＴＣの４つの連続する復号に適応するために、システム情報タイマーを増加させるための手段をさらに備える、請求項２０に記載のワイヤレスデバイス。
【請求項２３】
前記より優先度の高いアクティビティが、ロケーションエリア更新（ＬＡＵ）およびルーティングエリア更新（ＲＡＵ）のうちの少なくとも１つを備える、請求項２２に記載のワイヤレスデバイス。
【請求項２４】
ワイヤレス通信のためのコンピュータプログラム製品であって、前記コンピュータプログラム製品が、その上に命令を有する非一時的コンピュータ可読媒体を備え、前記命令は、
ワイヤレス通信デバイスに、第１のサブスクリプションのためのシステム情報（ＳＩ）メッセージに関連付けられたタイムコード（ＴＣ）を決定させるためのコードと、
前記ワイヤレス通信デバイスに、前記第１のサブスクリプションのための複数のＳＩメッセージが前記同じＴＣ上で送られていると決定させるためのコードと、
前記ワイヤレス通信デバイスに、追加のサブスクリプションのアクティビティがプリエンプトされ得るとき、前記第１のサブスクリプションのための前記ＳＩメッセージを復号することを優先させるためのコードと
を備える、コンピュータプログラム製品。
【請求項２５】
前記ワイヤレス通信デバイスに、前記第１のサブスクリプションのための前記ＳＩメッセージを復号することを優先させるための前記コードが、前記ワイヤレス通信デバイスに、前記追加のサブスクリプションの前記アクティビティを実行する前に前記第１のサブスクリプションによる前記同じＴＣの４つの連続する復号を実行させるためのコードを備える、請求項２４に記載のコンピュータプログラム製品。
【請求項２６】
前記ワイヤレス通信デバイスに、前記追加のサブスクリプションの前記アクティビティがプリエンプトされ得るかどうかを決定させるためのコードをさらに備える、請求項２４に記載のコンピュータプログラム製品。
【請求項２７】
前記ワイヤレス通信デバイスに、前記追加のサブスクリプションの前記アクティビティがプリエンプトされ得るかどうかを決定させるための前記コードは、前記ワイヤレス通信デバイスに、前記追加のサブスクリプションが、ＳＩメッセージを復号することよりもより優先度の低いアクティビティを実行しているかどうかを決定させるためのコードを備える、請求項２６に記載のコンピュータプログラム製品。
【請求項２８】
前記より優先度の低いアクティビティが、同期チャネル（ＳＣＨ）読取り、ブロードキャスト制御チャネル（ＢＣＣＨ）読取り、ページングチャネル（ＰＣＨ）読取り、またはネイバーセル収集のうちの少なくとも１つを備える、請求項２７に記載のコンピュータプログラム製品。
【請求項２９】
前記追加のサブスクリプションが、ＳＩメッセージを復号することよりもより優先度の高いアクティビティを実行しているとき、前記命令は、前記ワイヤレス通信デバイスに、前記追加のサブスクリプションによる前記より優先度の高いアクティビティの完了後に前記第１のサブスクリプションによる前記同じＴＣの４つの連続する復号に適応するために、システム情報タイマーを増加させるためのコードをさらに備える、請求項２７に記載のコンピュータプログラム製品。
【請求項３０】
前記より優先度の高いアクティビティが、ロケーションエリア更新（ＬＡＵ）およびルーティングエリア更新（ＲＡＵ）のうちの少なくとも１つを備える、請求項２９に記載のコンピュータプログラム製品。
【発明の詳細な説明】
【技術分野】
【０００１】
[0001]以下で説明する技術は、一般に通信システムに関し、より詳細には、拡張システム情報復号のためのシステムおよび方法に関する。以下で説明する技術のいくつかの態様の実装は、改善された通信ネットワーク選択と、電力リソースの効率的な使用とを可能にすることができる。
【背景技術】
【０００２】
[0002]ワイヤレス通信システムは、世界中の多くの人々が通信するようになるための重要な手段になっている。ワイヤレス通信システムは、その各々が基地局によってサービスされ得るいくつかのワイヤレス通信デバイスに通信を提供し得る。
【０００３】
[0003]最近の数十年で、ワイヤレス通信デバイスの使用は一般的になった。特に、電子技術の進歩は、ますます複雑で有用になるワイヤレス通信デバイスのコストを低減した。コスト低減および消費者需要により、ワイヤレス通信デバイスが現代社会において事実上ユビキタスであるほどワイヤレス通信デバイスの使用が激増した。ワイヤレス通信デバイスの使用が拡大するにつれて、ワイヤレス通信デバイスの新しい改善された特徴に対する需要も拡大した。
【０００４】
[0004]ワイヤレス通信デバイスがより広く展開されるようになるにつれて、利用可能な通信システムの数も増加している。通信システムを走査するときに非効率性が生じることがある。したがって、これらの非効率性を低減するのを助け得るシステムおよび方法が有益であり得る。
【発明の概要】
【０００５】
[0005]本発明の実施形態は、上記の問題ならびに他の問題に対処する。実際、本発明の実施形態は、時間遅延を緩和することができる、電力効率的なデバイス、システム、および方法を提供する。そうすることは、電力リソースを効率的に利用することができるだけでなく、ネットワーク通信に関連する遅延を最小限に抑えるのを助けることができる。
【０００６】
[0006]マルチ加入者識別モジュール（ＳＩＭ：subscriber identity module）ワイヤレス通信デバイスによるワイヤレス通信のための方法について説明する。本方法は、第１のサブスクリプションのためのシステム情報（ＳＩ）メッセージに関連付けられたタイムコード（ＴＣ：time code）を決定することを含む。本方法はまた、第１のサブスクリプションのための複数のＳＩメッセージが同じＴＣ上で送られていると決定することを含む。本方法は加えて、追加のサブスクリプションのアクティビティがプリエンプトされ得るとき、第１のサブスクリプションのためのＳＩメッセージを復号することを優先させることを含む。
【０００７】
[0007]第１のサブスクリプションのためのＳＩメッセージを復号することを優先させることは、追加のサブスクリプションのアクティビティを実行する前に第１のサブスクリプションによる同じＴＣの４つの連続する復号を実行することを含み得る。
【０００８】
[0008]本方法はまた、追加のサブスクリプションのアクティビティがプリエンプトされ得るかどうかを決定することを含み得る。追加のサブスクリプションのアクティビティがプリエンプトされ得るかどうかを決定することは、追加のサブスクリプションが、ＳＩメッセージを復号することよりもより優先度の低いアクティビティを実行しているかどうかを決定することを含み得る。より優先度の低いアクティビティは、同期チャネル（ＳＣＨ）読取り、ブロードキャスト制御チャネル（ＢＣＣＨ）読取り、ページングチャネル（ＰＣＨ）読取り、またはネイバーセル収集のうちの少なくとも１つを含み得る。
【０００９】
[0009]追加のサブスクリプションが、ＳＩメッセージを復号することよりもより優先度の高いアクティビティを実行しているとき、本方法は、追加のサブスクリプションによるより優先度の高いアクティビティの完了後に第１のサブスクリプションによる同じＴＣの４つの連続する復号に適応するために、システム情報タイマーを増加させることをさらに含み得る。より優先度の高いアクティビティは、ロケーションエリア更新（ＬＡＵ：location area update）およびルーティングエリア更新（ＲＡＵ：routing area update）のうちの少なくとも１つを含み得る。
【００１０】
[0010]ワイヤレス通信デバイスは、マルチＳＩＭマルチスタンバイデバイスであり得る。第１のサブスクリプションは１つのＳＩＭに関連付けられ得、追加のサブスクリプションは追加のＳＩＭに関連付けられ得る。各サブスクリプションは、単一の無線周波数（ＲＦ）リソースを共有し得る。第１のサブスクリプションはシステム情報収集状態にあり得る。
【００１１】
[0011]ワイヤレス通信のための装置についても説明する。本装置は、プロセッサと、プロセッサと電子通信しているメモリと、メモリに記憶された命令とを含む。本装置は、第１のサブスクリプションのためのＳＩメッセージに関連付けられたＴＣを決定する。本装置はまた、第１のサブスクリプションのための複数のＳＩメッセージが同じＴＣ上で送られていると決定する。本装置はさらに、追加のサブスクリプションのアクティビティがプリエンプトされ得るとき、第１のサブスクリプションのためのＳＩメッセージを復号することを優先させる。
【００１２】
[0012]ワイヤレスデバイスについても説明する。本ワイヤレスデバイスは、第１のサブスクリプションのためのＳＩメッセージに関連付けられたＴＣを決定するための手段を含む。本ワイヤレスデバイスはまた、第１のサブスクリプションのための複数のＳＩメッセージが同じＴＣ上で送られていると決定するための手段を含む。本ワイヤレスデバイスは、追加のサブスクリプションのアクティビティがプリエンプトされ得るとき、第１のサブスクリプションのためのＳＩメッセージを復号することを優先させるための手段をさらに含む。
【００１３】
[0013]ワイヤレス通信のためのコンピュータプログラム製品についても説明する。本コンピュータプログラム製品は、その上に命令を有する非一時的コンピュータ可読媒体を含む。命令は、ワイヤレス通信デバイスに、第１のサブスクリプションのためのＳＩメッセージに関連付けられたＴＣを決定させるためのコードを含む。命令はまた、ワイヤレス通信デバイスに、第１のサブスクリプションのための複数のＳＩメッセージが同じＴＣ上で送られていると決定させるためのコードを含む。命令は、ワイヤレス通信デバイスに、追加のサブスクリプションのアクティビティがプリエンプトされ得るとき、第１のサブスクリプションのためのＳＩメッセージを復号することを優先させるためのコードをさらに含む。
【００１４】
[0014]本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１５】
【図１】[0015]本発明の実施形態による、拡張システム情報（ＳＩ）復号のためのワイヤレス通信システムを示すブロック図。
【図２】[0016]いくつかの実施形態による、拡張ＳＩ復号のための方法の流れ図。
【図３】[0017]モバイル通信用グローバルシステム（ＧＳＭ（登録商標））における例示的なマルチフレーム、フレームおよびバーストフォーマットを示す図。
【図４】[0018]本システムおよび方法において使用するための５１フレームマルチフレームを示すブロック図。
【図５】[0019]ブロードキャスト制御チャネル（ＢＣＣＨ）とタイムコード（ＴＣ）とのマッピングの一例を示す図。
【図６】[0020]いくつかの実施形態による、拡張ＳＩ復号のための詳細な方法の流れ図。
【図７】[0021]いくつかの実施形態による、拡張ＳＩ復号のための別の詳細な方法の流れ図。
【図８】[0022]いくつかの実施形態による、ワイヤレス通信デバイス内に含まれ得るいくつかの構成要素を示す図。
【発明を実施するための形態】
【００１６】
[0023]図１は、本発明の実施形態による、拡張システム情報（ＳＩ）復号のためのワイヤレス通信システム１００を示すブロック図である。ワイヤレス通信システム１００は、音声、データなど、様々なタイプの通信コンテンツを提供するために広く展開されている。ワイヤレスデバイスはワイヤレス通信デバイス１０２または基地局１０４であり得る。ワイヤレス通信デバイス１０２は、拡張ＳＩ復号のために構成され得る。
【００１７】
[0024]基地局１０４は、１つまたは複数のワイヤレス通信デバイス１０２と通信し得る局である。基地局１０４は、アクセスポイント、ブロードキャスト送信機、ノードＢ、発展型ノードＢ、基地トランシーバ局などと呼ばれることもあり、それらの機能の一部または全部を含み得る。本明細書では「基地局」という用語を使用する。各基地局１０４は、特定の地理的エリアに通信カバレージを与え得る。基地局１０４は、１つまたは複数のワイヤレス通信デバイス１０２に通信カバレージを与え得る。「セル」という用語は、この用語が使用されるコンテキストに応じて、基地局１０４、基地局１０４のカバレージエリア、および／または基地局１０４とワイヤレス通信デバイス１０２との間の通信チャネルを指すことがある。単一の基地局１０４は、１つまたは複数のセルを与え得る。
【００１８】
[0025]ワイヤレス通信デバイス１０２は、端末、アクセス端末、加入者ユニット、局、ユーザ機器などと呼ばれることもあり、それらの機能の一部または全部を含み得る。ワイヤレス通信デバイス１０２の例としては、セルラーフォン、携帯情報端末（ＰＤＡ）、ワイヤレスデバイス、ワイヤレスモデム、ハンドヘルドデバイス、ラップトップコンピュータ、セッション開始プロトコル（ＳＩＰ）フォン、ワイヤレスローカルループ（ＷＬＬ）局、エンターテインメントデバイス、アプライアンス、ビジネス／家庭用デバイス、視覚ディスプレイ、自動車／車両構成要素、センサー、アクチュエータ、ソーラーアレイなどがあり得る。
【００１９】
[0026]ワイヤレス通信デバイス１０２および基地局１０４は、第３世代パートナーシッププロジェクト（３ＧＰＰ（登録商標）：Third Generation Partnership Project）ロングタームエボリューション（ＬＴＥ（登録商標）：Long Term Evolution）規格など、いくつかの業界規格に従って動作し得る。通信デバイスが準拠し得る規格の他の例としては、電気電子技術者協会（ＩＥＥＥ：Institute of Electrical and Electronics Engineers）８０２．１１ａ、８０２．１１ｂ、８０２．１１ｇ、８０２．１１ｎおよび／または８０２．１１ａｃ（たとえば、ワイヤレスフィデリティ（Wireless Fidelity）または「Ｗｉ−Ｆｉ（登録商標）」）規格、ＩＥＥＥ８０２．１６（たとえば、ワールドワイドインターオペラビリティフォーマイクロウェーブアクセス（Worldwide Interoperability for Microwave Access）または「ＷｉＭＡＸ（登録商標）」）規格、（本明細書では「１ｘ」と呼ぶ、ＩＳ−２０００または１ｘＲＴＴと呼ばれることもある）符号分割多元接続（ＣＤＭＡ）２０００  １ｘ規格、エボリューションデータオプティマイズド（ＥＶＤＯ：Evolution-Data Optimized）規格、Ｉｎｔｅｒｉｍ  Ｓｔａｎｄａｒｄ  ９５（ＩＳ−９５）、高速パケットデータ（ＨＲＰＤ：High Rate Packet Data）、発展型高速パケットデータ（ｅＨＲＰＤ）無線機規格などがある。本明細書で開示するシステムおよび方法のいくつかについて１つまたは複数の規格に関して説明することがあるが、これは、それらのシステムおよび方法が多くのシステムおよび／または規格に適用可能であり得るので、本開示の範囲を限定すべきではない。
【００２０】
[0027]「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ＣＤＭＡ２０００などの無線アクセス技術（ＲＡＴ）を実装し得る。ＵＴＲＡは、Ｗ−ＣＤＭＡ（登録商標）と低チップレート（ＬＣＲ）とを含み、ＣＤＭＡ２０００は、ＩＳ−２０００、ＩＳ−９５、およびＩＳ−８５６規格をカバーする。ＴＤＭＡネットワークは、モバイル通信用グローバルシステム（ＧＳＭ）などの無線アクセス技術（ＲＡＴ）を実装し得る。直交周波数分割多元接続（ＯＦＤＭＡ）ネットワークは、発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭＡなどの無線アクセス技術（ＲＡＴ）を実装し得る。ＵＴＲＡ、Ｅ−ＵＴＲＡおよびＧＳＭは、ユニバーサルモバイルテレコミュニケーションシステム（ＵＭＴＳ：Universal Mobile Telecommunication System）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびロングタームエボリューション（ＬＴＥ）は、「第３世代パートナーシッププロジェクト」（３ＧＰＰ）と称する団体からの文書に記載されている。さらに、ＣＤＭＡ２０００は、「第３世代パートナーシッププロジェクト２」（３ＧＰＰ２）と称する団体からの文書に記載されている。
【００２１】
[0028]本明細書で使用する「システム」という用語は、通信システム、電気通信システム、モバイル電気通信システム、ネットワーク、通信ネットワークなどを指すことがある。さらに、本明細書で使用する「システム」という用語は、特定のシステム１００内に実装され得る無線アクセス技術（ＲＡＴ）を指すことがある。
【００２２】
[0029]ワイヤレス通信デバイス１０２は、所与の瞬間において、ダウンリンク１２６および／またはアップリンク１２８上で１つまたは複数の基地局１０４と通信し得る。ダウンリンク１２６（または順方向リンク）は、基地局１０４からワイヤレス通信デバイス１０２への通信リンクを指し、アップリンク１２８（または逆方向リンク）は、ワイヤレス通信デバイス１０２から基地局１０４への通信リンクを指す。
【００２３】
[0030]ワイヤレス通信デバイス１０２は、１つまたは複数の通信システム１００の一部としての１つまたは複数の基地局１０４と通信することが可能であり得る。システム１００は、１つまたは複数の無線アクセス技術（ＲＡＴ）を利用し得る。無線アクセス技術（ＲＡＴ）の例としては、（１ｘとしても知られる）ＣＤＭＡ２０００  １ｘ、モバイル通信用グローバルシステム（ＧＳＭ）、高データレート（ＨＤＲ）、高速パケットデータ（ＨＲＰＤ）、発展型高速パケットデータ（ｅＨＲＰＤ）、広帯域符号分割多元接続（Ｗ−ＣＤＭＡ）、時分割同期符号分割多元接続（ＴＤ−ＳＣＤＭＡ）およびロングタームエボリューション（ＬＴＥ）がある。システム１００のうちの１つまたは複数は、異なるタイプの無線アクセス技術（ＲＡＴ）を利用し得る。たとえば、第１のシステム１００は、ＣＤＭＡ２０００  １ｘネットワークを含み得る無線アクセス技術（ＲＡＴ）を利用し得る。この例では、第２のシステム１００は、ロングタームエボリューション（ＬＴＥ）ネットワークを含み得る無線アクセス技術（ＲＡＴ）を利用し得る。
【００２４】
[0031]ワイヤレス通信デバイス１０２と基地局１０４との間の通信は、ワイヤレスリンクを介した送信によって達成され得る。そのような通信リンクは、単入力単出力（ＳＩＳＯ）、多入力単出力（ＭＩＳＯ）または多入力多出力（ＭＩＭＯ）システムを介して確立され得る。多入力多出力システムは、それぞれ、データ伝送のための複数（ＮT）個の送信アンテナと複数（ＮR）個の受信アンテナとを装備した、（１つまたは複数の）送信機と（１つまたは複数の）受信機とを含む。単入力単出力システムおよび多入力単出力システムは多入力多出力システムの特定の事例である。複数の送信アンテナおよび受信アンテナによって生成された追加の次元数が利用された場合、多入力多出力システムは、改善されたパフォーマンス（たとえば、より高いスループット、より大きい容量、または改善された信頼性）を与えることができる。
【００２５】
[0032]ワイヤレス通信デバイス１０２は、マルチモード能力で構成され得、異なるワイヤレスリンク／無線アクセス技術（ＲＡＴ）を介して異なるワイヤレスネットワークと通信するために複数のトランシーバを含み得る。たとえば、ワイヤレス通信デバイス１０２は、マルチ加入者識別モジュール（ＳＩＭ）ワイヤレスデバイスなどにおいて、異なるサブスクリプション１０６上で複数のワイヤレスデータネットワークを介して通信するように構成され得る。たとえば、ワイヤレス通信デバイス１０２は、デュアルＳＩＭデバイスが、概して共有送信／受信チェーンであるが、２つの独立した通信セッションに同時に参加することを可能にするデュアルＳＩＭデュアルスタンバイ（ＤＳＤＳ：dual-SIM dual-standby）能力で構成され得る。マルチＳＩＭデバイスの別の構成では、トリプルＳＩＭトリプルスタンバイ（ＴＳＴＳ：triple-SIM triple-standby）デバイス（たとえば、３つのＳＩＭ１０８をもつデバイス）が、概して共有送信／受信チェーンであるが、３つの独立した通信セッションに同時に参加し得る。
【００２６】
[0033]マルチＳＩＭモバイルデバイスは、サービスオプションおよび他の特徴におけるそれらのフレキシビリティにより、ますます普及してきている。ＤＳＤＳおよびＴＳＴＳデバイスは、一般に、各ＳＩＭ１０８に関連付けられた共有送信／受信チェーンを有する。したがって、以前の通信システム設計は、ＤＳＤＳモバイルデバイス中など、同じデバイス内で同時に動作するサブスクリプション１０６のアクティビティにおける衝突を防ぐのには、不十分である。
【００２７】
[0034]ＤＳＤＳデバイスは、ユーザが、同じＤＳＤＳデバイスを使用しながら、２つの異なるモバイルネットワーク（または同じネットワーク上の異なるアカウント）に接続することを可能にする２つのＳＩＭ１０８を含む。ＴＳＴＳデバイスは、ユーザが、同じＴＳＴＳデバイスを使用しながら、３つの異なるモバイルネットワーク（または同じネットワーク上の異なるアカウント）に接続することを可能にする３つのＳＩＭ１０８を含む。各ＳＩＭ１０８は、特定のマルチＳＩＭデバイスを使用する加入者を識別および認証するように働き、各ＳＩＭ１０８は１つのサブスクリプション１０６のみに関連付けられる。たとえば、ＳＩＭ１０８は、ＧＳＭ、ＴＤ−ＳＣＤＭＡ、ＣＤＭＡ２０００、およびＷＣＤＭＡ（登録商標）のうちの１つへのサブスクリプション１０６に関連付けられ得る。
【００２８】
[0035]本明細書で使用するマルチＳＩＭデバイスは、セルラー電話、スマートフォン、パーソナルまたはモバイルマルチメディアプレーヤ、個人情報端末、ラップトップコンピュータ、パーソナルコンピュータ、タブレットコンピュータ、スマートブック、パームトップコンピュータ、ワイヤレス電子メール受信機、マルチメディアインターネット対応セルラー電話、ワイヤレスゲームコントローラ、ならびに、少なくとも２つのモバイル通信ネットワークに接続するためのプログラマブルプロセッサおよびメモリおよび回路を含む同様のパーソナル電子デバイスのうちのいずれか１つまたはすべてを含み得る。様々な態様は、スマートフォンなど、モバイル通信デバイスにおいて有用であり得、したがって、そのようなデバイスが様々な実施形態の説明で言及される。しかしながら、実施形態は、複数のモバイルネットワークへの複数のサブスクリプション１０６を個々に維持し得る電子デバイスにおいて有用であり得る。
【００２９】
[0036]本明細書で説明する技法および実施形態は、少なくとも１つのＧＳＭサブスクリプション１０６で構成されたワイヤレス通信デバイス１０２に関係するが、それらは他の無線アクセスネットワーク（たとえば、ＵＭＴＳ、ＷＣＤＭＡ、ＬＴＥなど）上のサブスクリプション１０６に拡張され得る。たとえば、本明細書で説明するワイヤレス通信デバイス１０２は、第１のサブスクリプション１０６ａおよび追加のサブスクリプション１０６ｂがＧＳＭサブスクリプションであるＧ＋Ｇ動作モードにあり得るが、ワイヤレス通信デバイス１０２は他の動作モード構成を有し得る。たとえば、ワイヤレス通信デバイス１０２は、ＧＳＭ＋ＵＭＴＳモード（たとえば、Ｇ＋Ｕ）、ＧＳＭ＋ＷＣＤＭＡモード（たとえば、Ｇ＋Ｗ）、ＧＳＭ＋ＬＴＥモード（たとえば、Ｇ＋Ｌ）などにあり得る。
【００３０】
[0037]本明細書で使用する「ＳＩＭ」、「ＳＩＭカード」および「加入者識別モジュール」という用語は、国際モバイル加入者識別情報（ＩＭＳＩ）、関係するキー、ならびに／あるいはネットワーク上のワイヤレス通信デバイス１０２を識別および／または認証するために使用される他の情報を記憶する、リムーバブルカード中に埋め込まれる集積回路を意味するために互換的に使用される。ＳＩＭという用語はまた、ＳＩＭ１０８に記憶された情報は、ワイヤレス通信デバイス１０２が特定のネットワークとの通信リンクを確立することを可能にするので、特定のＳＩＭ１０８に関連付けられた通信ネットワークへの簡略な言及として使用されることがある。したがって、ＳＩＭ１０８と通信ネットワークとは互いに相関する。
【００３１】
[0038]本明細書で使用する「マルチＳＩＭデバイス」、「マルチＳＩＭワイヤレスデバイス」、「デュアルＳＩＭデバイス」、「デュアルＳＩＭデュアルスタンバイデバイス」、「ＤＳＤＳデバイス」、「トリプルＳＩＭデバイス」、「トリプルＳＩＭトリプルスタンバイデバイス」および「ＴＳＴＳデバイス」という用語は、２つ以上のＳＩＭ１０８で構成され、複数のサブスクリプション１０６のネットワークとの通信を独立して処理することが可能であるワイヤレス通信デバイス１０２について説明するために互換的に使用される。
【００３２】
[0039]本明細書で説明する様々な実施形態におけるＳＩＭ１０８は、ＧＳＭおよび／またはＵＭＴＳネットワークへのアクセスを可能にする、ＳＩＭおよび／またはＵＳＩＭ適用例で構成されたユニバーサル集積回路カード（ＵＩＣＣ：Universal Integrated Circuit Card）であり得る。ＵＩＣＣはまた、電話帳のためのストレージおよび他の適用例を与え得る。代替的に、ＣＤＭＡネットワークでは、ＳＩＭ１０８は、カード上のＵＩＣＣリムーバブルユーザ識別モジュール（Ｒ−ＵＩＭ）またはＣＤＭＡ加入者識別モジュール（ＣＳＩＭ）であり得る。
【００３３】
[0040]各ＳＩＭ１０８は、ＣＰＵ、ＲＯＭ、ＲＡＭ、ＥＥＰＲＯＭ（登録商標）およびＩ／Ｏ回路を有し得る。様々な実施形態において使用されるＳＩＭ１０８は、ユーザアカウント情報と、国際モバイル加入者識別情報（ＩＭＳＩ）と、ＳＩＭアプリケーションツールキット（ＳＡＴ）コマンドのセットと、電話帳連絡先のための記憶スペースとを含んでいることがある。ＳＩＭ１０８は、ＳＩＭ１０８ネットワークオペレータプロバイダを示すためのホームパブリックランドモバイルネットワーク（ＨＰＬＭＮ）コードをさらに記憶し得る。識別のために集積回路カード識別情報（ＩＣＣＩＤ）ＳＩＭシリアル番号がＳＩＭ１０８上に印刷される。
【００３４】
[0041]ワイヤレス通信デバイス１０２は、第１のサブスクリプション１０６ａに関連付けられた第１のＳＩＭ１０８ａを含み得る。ワイヤレス通信デバイス１０２はまた、追加のサブスクリプション１０６ｂに関連付けられた少なくとも１つの追加のＳＩＭ１０８ｂを含み得る。複数の追加のサブスクリプション１０６ｂが図１に示されているが、ワイヤレス通信デバイス１０２は１つまたは複数の追加のサブスクリプション１０６ｂを含み得ることを諒解されたい。ＤＳＤＳデバイスの場合、ワイヤレス通信デバイス１０２は、１つの追加のサブスクリプション１０６ｂを有し得る。ＴＳＴＳデバイスの場合、ワイヤレス通信デバイス１０２は、２つの追加のサブスクリプション１０６ｂなどを有し得る。
【００３５】
[0042]ワイヤレス通信デバイス１０２中の各サブスクリプション１０６（たとえば、第１のサブスクリプション１０６ａおよび１つまたは複数の追加のサブスクリプション１０６ｂ）は、ベースバンドＲＦリソースチェーンを共有し得る。一構成では、ベースバンドＲＦリソースチェーンは、サブスクリプション１０６上での通信のためのベースバンド／モデム機能を実行するためのベースバンドモデムプロセッサと、本明細書では概してＲＦリソース１１４と呼ぶ１つまたは複数の増幅器および無線機とを含み得る。
【００３６】
[0043]ＲＦリソース１１４は、ワイヤレス通信デバイス１０２の第１のサブスクリプション１０６ａおよび（１つまたは複数の）追加のサブスクリプション１０６ｂのための送信／受信機能を実行するトランシーバであり得る。ＲＦリソース１１４は、別個の送信回路および受信回路を含み得るか、または送信機機能と受信機機能とを組み合わせるトランシーバを含み得る。ＲＦリソース１１４は、１つまたは複数のワイヤレスアンテナ１２４に結合され得る。
【００３７】
[0044]特定の実施形態では、（１つまたは複数の）ベースバンドプロセッサおよびＲＦリソース１１４は、システムオンチップデバイス中に含まれ得る。第１のＳＩＭ１０８ａおよび（１つまたは複数の）追加のＳＩＭ１０８ｂは、システムオンチップデバイスの外部にあり得る。さらに、インターフェースまたはコントローラなど、様々な入出力デバイスがシステムオンチップデバイスの構成要素に結合され得る。ワイヤレス通信デバイス１０２において使用するのに好適なユーザ入力構成要素の例としては、限定はしないが、キーパッドおよびタッチスクリーンディスプレイがあり得る。
【００３８】
[0045]一実施形態では、受信機および送信機は、ＲＦリソース１１４中に含まれ得る。特定の実施形態では、送信機は、送信のためのデータをフォーマットし、符号化し、インターリーブし得るデータプロセッサを含み得る。送信機は、たとえば、ガウス型最小シフトキーイング（ＧＭＳＫ）を実行することによって、キャリア信号を符号化データで変調する変調器を含み得る。１つまたは複数の送信回路は、送信のためのＲＦ被変調信号を生成するために、（たとえば、フィルタ処理、増幅、およびアップコンバートすることによって）被変調信号を調整し得る。ＲＦ被変調信号は、たとえば、アンテナ１２４を介して基地局１０４に送信され得る。
【００３９】
[0046]受信機において、アンテナ１２４は、たとえば、基地局１０４からＲＦ被変調信号を受信し得る。１つまたは複数の受信回路は、受信されたＲＦ被変調信号を調整（たとえば、フィルタ処理、増幅、およびダウンコンバート）し、調整された信号をデジタル化し、サンプルを復調器に与え得る。復調器は、変調された搬送波から元の情報搬送信号を抽出し得、復調された信号をデータプロセッサに与え得る。データプロセッサは、元の復号されたデータを取得するために、信号をデインターリーブおよび復号し得、復号されたデータをワイヤレスデバイス中の他の構成要素に与え得る。送信機と受信機との動作は、プロセッサ（たとえば、（１つまたは複数の）ベースバンドプロセッサ）によって制御され得る。様々な実施形態では、送信機と受信機との各々は、それらの対応する受信回路および送信回路（図示せず）から分離された回路として実装され得る。代替的に、送信機および受信機はそれぞれ、対応する受信回路および送信回路と組み合わせられ得る。
【００４０】
[0047]第１のサブスクリプション１０６ａはＧＳＭサブスクリプションであり得る。セルにキャンプオンするために、ワイヤレス通信デバイス１０２は、セルに関連付けられた基地局１０４からのシステム情報（ＳＩ）１１０を収集し得る。システム情報（ＳＩ）１１０は、ＳＩメッセージ１１２としてワイヤレス通信デバイス１０２に送られ得る。ＧＳＭ収集では、ワイヤレス通信デバイス１０２は、基地局１０４によって送られた、周波数補正チャネル（ＦＣＣＨ：frequency correction channel）と、次いで同期チャネル（ＳＣＨ）とを読み取ることによって最も強いキャリアに同期することを最初に試み得る。
【００４１】
[0048]ワイヤレス通信デバイス１０２は、次いで、セルがキャンプオンするのに好適であるかどうかを決定するために、必須のＳＩメッセージ１１２を読み取り得る。システム情報タイプ３（ＳＩ３）メッセージまたはシステム情報タイプ４（ＳＩ４）メッセージは、必須のＳＩメッセージ１１２であり得る。ＳＩ３またはＳＩ４メッセージのうちの少なくとも１つを受信した後に、ワイヤレス通信デバイス１０２は、ページンググループ、チャネル構成、および、セルが好適であるか否かを知り得る。ワイヤレス通信デバイス１０２は、次いで、それに応じて、そのセルにキャンプオンし、ＳＩメッセージ１１２の完全セットを収集するために他のＳＩメッセージ１１２を読み取り得る。ＳＩメッセージ１１２を収集すると、ワイヤレス通信デバイス１０２は、次いで、セルにキャンプオンし得る。
【００４２】
[0049]ＳＩメッセージ１１２の収集全体がシステム情報タイマー１１６によってモニタされ得る。システム情報タイマー１１６は、ＳＩメッセージ１１２の受信を監視し得る。システム情報タイマー１１６は、ｓｙｓｉｎｆｏタイマーと呼ばれることもある。
【００４３】
[0050]ＳＩ採集が完了する前にシステム情報タイマー１１６が満了した場合、それセルについて収集失敗が宣言され、ワイヤレス通信デバイス１０２はサービスの探索を再開する。一実施形態では、システム情報タイマー１１６は約８秒であり得る。ワイヤレス通信デバイス１０２がＳＩメッセージ１１２の完全セットを収集することなしに、システム情報タイマー１１６が満了した場合、ワイヤレス通信デバイス１０２は、他のセルの全電力走査を開始し得る。したがって、ワイヤレス通信デバイス１０２は、セルが良好である（たとえば、セルの電力レベルおよび信号対雑音比（ＳＮＲ）が良好である）場合でも、この特定のセルにキャンプオンしない。
【００４４】
[0051]各ＳＩメッセージ１１２は、少なくとも１つのタイムコード（ＴＣ）１２０に関連付けられ得る。ＳＩメッセージ１１２は、図４に関して説明したように、マルチフレームの一部としてブロードキャスト制御チャネル（ＢＣＣＨ）中で基地局１０４から送られ得る。異なるＳＩメッセージ１１２は、異なるＢＣＣＨ中で送られ得る。言い換えれば、１つまたは複数のＳＩメッセージ１１２は１つのマルチフレーム中で送られ得、他のＳＩメッセージ１１２は別のマルチフレーム中で送られ得る。ＳＩメッセージ１１２は、サイクリックパターンで繰り返され得る。たとえば、ＳＩメッセージ１１２は、４つまたは８つのマルチフレームごとに繰り返され得る。
【００４５】
[0052]ＴＣ１２０は、ＳＩメッセージ１１２がどのマルチフレーム中で送信され得るかを示すパラメータである。一実施形態では、図５に関して説明するように、ＴＣ１２０は、８マルチフレームサイクルに対応する０から７までの値を有し得る。ＳＩメッセージ１１２が、０のＴＣ１２０値を有する場合（ＴＣ＝０）、そのＳＩメッセージ１１２の送信は、ＴＣ＝０に対応する各マルチフレーム中で繰り返される。各ＳＩメッセージ１１２のためのＴＣ１２０は、事前構成されるかまたは指定され得る。たとえば、３ＧＰＰ  ＴＳ４５．００２は、ＴＣ１２０値へのＳＩメッセージ１１２のマッピングを規定する。表１に、３ＧＰＰ  ＴＳ４５．００２に従うＳＩメッセージ／ＴＣマッピングの一構成を示す。
【００４６】
【表１】
2017525211.tif 000003
【００４７】
[0053]システム情報メッセージ１１２は、以下のように、定義されたマルチフレーム中でおよび１つのマルチフレーム内の定義されたブロック中で送信され得る（ここでＴＣ＝（ＦＮ  ＤＩＶ５１）ｍｏｄ（８））。また、いくつかのシステム情報メッセージ１１２について、システム情報メッセージ１１２が送信される位置は、他のシステム情報メッセージ１１２中に含まれている。ネットワークは、特定のシステム情報メッセージ１１２の送信が必要とされないとき、任意のシステム情報メッセージ１１２を送り得る。
【００４８】
[0054]ＢＣＣＨ  Ｅｘｔは、リソースをページングチャネル（ＰＣＨ）およびアクセス許可チャネル（ＡＧＣＨ）と共有し得る。システム情報タイプ１（ＳＩ１）は、周波数ホッピングが使用中である場合または通知チャネル（ＮＣＨ）がセル中に存在するとき、送られ得る。ワイヤレス通信デバイス１０２が、ＴＣ＝０であるときにＢＣＣＨ  Ｎｏｒｍ上で別のメッセージを見つけた場合、ワイヤレス通信デバイス１０２は、システム情報タイプ１が使用中でないと仮定することができる。
【００４９】
[0055]システムオペレータによって決定されたとき、システム情報タイプ２ｂｉｓまたは２ｔｅｒメッセージが、必要な場合に送信され得る。それらのうちの１つのみが必要とされる場合、それは、ＴＣ＝５であるときに送られ得る。両方が必要とされる場合、２ｂｉｓは、ＴＣ＝５であるときに送られ得、２ｔｅｒは、ＴＣ＝４の４つの連続する発生のうちのいずれか内で少なくとも１回送られ得る。少なくともＴＣ＝１であるたびに、ＳＩ２メッセージが送信され得る。システムオペレータによって決定されたとき、システム情報タイプ２ｑｕａｒｔｅｒが、必要な場合に送られ得る。ＢＣＣＨ  Ｎｏｒｍ上で送られる場合、システム情報タイプ２ｑｕａｒｔｅｒは、２ｂｉｓおよび２ｔｅｒのいずれも使用されない場合、ＴＣ＝５であるときに送られ得、他の場合、システム情報タイプ２ｑｕａｒｔｅｒは、ＴＣ＝４の４つの連続する発生のうちのいずれか内で少なくとも１回送られ得る。ＢＣＣＨ  Ｅｘｔ上で送られる場合、システム情報タイプ２ｑｕａｒｔｅｒは、ＴＣ＝５の４つの連続する発生のうちのいずれか内で少なくとも１回送られる。
【００５０】
[0056]システム情報タイプ７および８の使用は、常に必要とは限らない。それは、システム情報タイプ４がセル選択および再選択のために必要とされるすべての情報を含んでいるとは限らない場合、必要である。システム情報タイプ９は、システム情報タイプ３において指定されるＴＣ＝４をもつブロック中で送られ得る。
【００５１】
[0057]システム情報タイプ１３はＧＰＲＳサービスに関係する。システム情報タイプ１３は、システム情報タイプ３、４、７または８メッセージのうちの１つまたは複数中でＧＰＲＳサポートが示される場合、送られ得る。これらのシステム情報メッセージ１１２はまた、システム情報タイプ１３メッセージがＢＣＣＨ  Ｎｏｒｍ上で送られるかどうか、またはメッセージがＢＣＣＨ  Ｅｘｔ上で送信されるかどうかを示す。メッセージがＢＣＣＨ  Ｎｏｒｍ上で送られる場合、それは、ＴＣ＝４の４つの連続する発生のうちのいずれか内で少なくとも１回送られる。
【００５２】
[0058]システム情報タイプ１６および１７は、局所サービスエリアのサポート（ＳｏＬＳＡ：support of Localized Service Area）サービスに関係し得る。システム情報タイプ１８および２０は、非ＧＳＭブロードキャスト情報を送信するために送られ得る。システム情報タイプ１８および２０が送られる頻度は、システムオペレータによって決定され得る。システム情報タイプ９は、システム情報タイプ１８および２０メッセージのスケジューリングを識別する。
【００５３】
[0059]システム情報タイプ１９は、ＣＯＭＰＡＣＴネイバーが存在する場合に送られ得る。システム情報タイプ１９が存在する場合、それのスケジューリングはシステム情報タイプ９において示され得る。
【００５４】
[0060]システム情報タイプ１５は、動的ＡＲＦＣＮマッピングがＰＬＭＮにおいて使用される場合、ブロードキャストされ得る。ＢＣＣＨ  Ｎｏｒｍ上で送られる場合、システム情報タイプ１５は、ＴＣ＝４の４つの連続する発生のうちのいずれか内で少なくとも１回送られる。ＢＣＣＨ  Ｅｘｔ上で送られる場合、システム情報タイプ１５は、ＴＣ＝１の４つの連続する発生のうちのいずれか内で少なくとも１回送られる。
【００５５】
[0061]システム情報タイプ１３ａｌｔはＧＥＲＡＮ  Ｉｕモードのみに関係する。システム情報タイプ１３ａｌｔは、ＧＥＲＡＮ  Ｉｕモードサポートがシステム情報タイプ３、４、７または８メッセージのうちの１つまたは複数中で示され、ＳＩ１３がブロードキャストされない場合、送られ得る。これらのシステム情報メッセージ１１２はまた、システム情報タイプ１３ａｌｔメッセージがＢＣＣＨ  Ｎｏｒｍ上で送られるかどうか、またはメッセージがＢＣＣＨ  Ｅｘｔ上で送信されるかどうかを示し得る。システム情報タイプ１３ａｌｔメッセージがＢＣＣＨ  Ｎｏｒｍ上で送られる場合、それは、ＴＣ＝４の４つの連続する発生のうちのいずれか内で少なくとも１回送られる。
【００５６】
[0062]システムオペレータによって決定されたとき、システム情報タイプ２ｎが、必要な場合、ＢＣＣＨまたはＢＣＣＨ  Ｅｘｔ上で随意に送られる。メッセージがＢＣＣＨ  Ｎｏｒｍ上で送られる場合、それは、ＴＣ＝４の４つの連続する発生のうちのいずれか内で少なくとも１回送られる。システム情報タイプ２ｎメッセージがＢＣＣＨ  Ｅｘｔ上で送られる場合、それは、ＴＣ＝４の２つの連続する発生のうちのいずれか内で少なくとも１回送られる。
【００５７】
[0063]一例では、表１によれば、システム情報タイプ１（ＳＩ１）は、ＴＣ１２０値が０であるとき（ＴＣ＝０）に送られる。タイプ３、４、７または８のようなシステム情報メッセージ１１２は、メッセージがＢＣＣＨ  Ｎｏｒｍ上で送られるかどうか、またはメッセージがＢＣＣＨ  Ｅｘｔ上で送信されるかどうかを示すことに留意されたい。ＴＣ１２０値を使用して、ワイヤレス通信デバイス１０２は、ＳＩメッセージ１１２が基地局１０４からいつ送信されるようにスケジュールされているかを知り得る。
【００５８】
[0064]場合によっては、ネットワークオペレータは、同じＴＣ１２０上に異なるＳＩメッセージ１１２をスケジュールし得る。たとえば、表１に示されているように、システム情報タイプ２ｔｅｒ（ＳＩ２ｔｅｒ）およびシステム情報タイプ１３（ＳＩ１３）は両方ともＴＣ＝４上にスケジュールされ得る。この場合、仕様は、複数のＳＩメッセージ１１２が同じＴＣ１２０上で送られるとき、複数のＳＩメッセージ１１２の各々が、そのＴＣ１２０の任意の４つの連続する発生内で少なくとも１回ブロードキャストされ得ることを提供する。
【００５９】
[0065]同じＴＣ１２０上で送られた複数のＳＩメッセージ１１２の各々を収集するために、ワイヤレス通信デバイス１０２は、同じＴＣ１２０の４つの連続する復号を実行し得る。一実施形態では、（たとえば、８マルチフレームサイクルに対応する）１つの無線ブロックは約１．８８秒である。したがって、同じＴＣ１２０の４つの連続する復号を実行することは、少なくとも７．５２秒かかる。
【００６０】
[0066]マルチＳＩＭデバイスでは、２つまたはそれ以上のサブスクリプション１０６が、アクティビティを同時に実行することを試み得る。サブスクリプション１０６がＲＦリソース１１４を共有する、マルチＳＩＭデバイス（たとえば、ＤＳＤＳまたはＴＳＴＳ）では、これらの重複するアクティビティは衝突を生じる。ＲＦリソース１１４をサブスクリプション１０６間で割り振るために、ワイヤレス通信デバイス１０２は、ＲＦアービトレーションを実行し得る。あるサブスクリプション１０６上のより優先度の高いアクティビティは、別のサブスクリプション１０６上のより優先度の低いアクティビティに勝る優先度を取り得る。
【００６１】
[0067]一実施形態では、高優先度アクティビティは、登録またはシグナリングアクティビティを含み得る。たとえば、高優先度アクティビティは、ロケーションエリア更新（ＬＡＵ）またはローミングエリア更新（ＲＡＵ）を実行することであり得る。システム情報１１０読取りまたはＢＣＣＨ復号は、登録アクティビティよりもより優先度の低いアクティビティであり得る。したがって、高優先度アクティビティを実行するサブスクリプション１０６は、より優先度の低いアクティビティを実行している他のサブスクリプション１０６をオーバーライドし得る（たとえば、プリエンプトし得る）。言い換えれば、より優先度の低いアクティビティは、より優先度の高いアクティビティの完了まで、遅延させられ得る。
【００６２】
[0068]一例では、第１のサブスクリプション１０６ａおよび追加のサブスクリプション１０６ｂが、セルを収集しようと試みていることがある。追加のサブスクリプション１０６ｂは、登録（たとえば、ＬＡＵまたはＲＡＵ）を実行していることがある。第１のサブスクリプション１０６ａは、ＴＣ＝４であるとき、ＳＩ２ｔｅｒとＳＩ１３とを収集する必要があり得る。したがって、第１のサブスクリプション１０６ａは、同じＴＣ１２０の４つの連続する復号を実行する必要がある。追加のサブスクリプション１０６ｂが、第１のサブスクリプション１０６ａよりもより優先度の高いアクティビティを実行しているので、第１のサブスクリプション１０６ａのシステム情報１１０復号はプリエンプトされる。
【００６３】
[0069]追加のサブスクリプション１０６ｂがより優先度の高いアクティビティを終了すると、第１のサブスクリプション１０６ａは、システム情報１１０復号を実行するためにＲＦリソース１１４を使用し得る。しかしながら、システム情報タイマー１１６は、ワイヤレス通信デバイス１０２が同じＴＣ１２０の４つの連続する復号を実行することができる前に、満了することがある。
【００６４】
[0070]一実施形態では、追加のサブスクリプション１０６ｂのシグナリングアクティビティは、約３秒かかり得る。上記で説明したように、同じＴＣ１２０の４つの連続する復号は、約７．５２秒かかり得る。システム情報タイマー１１６が８秒である場合、ワイヤレス通信デバイス１０２は、追加のサブスクリプション１０６ｂの登録アクティビティを実行した後、同じＴＣ１２０の４つの連続する復号を終了しないことになる。システム情報タイマー１１６の満了時に、ワイヤレス通信デバイス１０２は、第１のサブスクリプション１０６ａについて収集失敗を宣言し得る。ワイヤレス通信デバイス１０２は、良好なセルが利用可能であるにもかかわらず、全電力走査を実行し、別のセルにキャンプオンすることを試み得る。言い換えれば、収集中の第１のサブスクリプション１０６ａは、ＲＦ否定により４つの連続ＴＣ１２０を復号することが可能でなく、したがって、すべての必須のＳＩメッセージ１１２をキャプチャすることが可能であるとは限らず、フルサービス走査を生じる。
【００６５】
[0071]ワイヤレス通信デバイス１０２は、異なるＳＩメッセージ１１２が同じＴＣ１２０上で送信されるとき、ＳＩ失敗による遅延されたキャンピングおよびフルサービス探索を避けるために、拡張システム情報復号を実行し得る。一実施形態では、ワイヤレス通信デバイス１０２は、タイムコード決定モジュール１１８と、サブスクリプション優先度付けモジュール１２２とを含み得る。
【００６６】
[0072]タイムコード決定モジュール１１８は、第１のサブスクリプション１０６ａのためのＳＩメッセージ１１２に関連付けられたＴＣ１２０を決定し得る。このことは、上記で説明したように、ＳＩメッセージ１１２をＴＣ１２０にマッピングすることによって達成され得る。一構成では、ＳＩメッセージ１１２のスケジューリングおよびＳＩメッセージ１１２に関連付けられたＴＣ１２０は、（表１に示された）システム情報タイプ３（ＳＩ３）メッセージ（ＢＣＣＨ＿ＥＸＴが使用される場合）およびＳＩマッピングから推論され得る。
【００６７】
[0073]タイムコード決定モジュール１１８は、第１のサブスクリプション１０６ａのための複数のＳＩメッセージ１１２が同じＴＣ１２０上で送られているかどうかを決定し得る。タイムコード決定モジュール１１８は、２つまたはそれ以上のＳＩメッセージ１１２が同じＴＣ１２０中で送られるようにスケジュールされていると決定し得る。たとえば、タイムコード決定モジュール１１８は、ＳＩ２ｔｅｒおよびＳＩ１３が両方ともＴＣ＝４上にスケジュールされていると決定し得る。同じＴＣ１２０上で送られているＳＩメッセージ１１２がある場合、そのＴＣ１２０の４つの連続する復号が実行されるべきである。
【００６８】
[0074]サブスクリプション優先度付けモジュール１２２は、第１のサブスクリプション１０６ａのためのＳＩメッセージ１１２を復号することが、追加のサブスクリプション１０６ｂのアクティビティよりも優先され得るかどうかを決定し得る。サブスクリプション優先度付けモジュール１２２は、追加のサブスクリプション１０６ｂが何を行っているかを確認し得る。サブスクリプション優先度付けモジュール１２２は、追加のサブスクリプション１０６ｂのアクティビティがプリエンプトされ得るかどうかを決定し得る。
【００６９】
[0075]サブスクリプション優先度付けモジュール１２２は、追加のサブスクリプション１０６ｂが、第１のサブスクリプション１０６ａによるＳＩメッセージ１１２を復号することよりもより優先度の低いアクティビティを実行しているかどうかを決定し得る。たとえば、追加のサブスクリプションは、同期チャネル（ＳＣＨ）読取り、ブロードキャスト制御チャネル（ＢＣＣＨ）読取り、ページングチャネル（ＰＣＨ）読取りまたはネイバーセル収集を実行していることがある（または、それらを実行するようにスケジュールされていることがある）。第１のサブスクリプション１０６ａは、これらのより優先度の低いアクティビティをプリエンプトし得る。したがって、サブスクリプション優先度付けモジュール１２２は、追加のサブスクリプション１０６ｂのアクティビティを実行する前に、第１のサブスクリプション１０６ａによる同じＴＣ１２０の４つの連続する復号を実行することを優先させ得る。
【００７０】
[0076]サブスクリプション優先度付けモジュール１２２が、追加のサブスクリプション１０６ｂがＳＩメッセージ１１２を復号することよりもより優先度の高いアクティビティを実行していると決定した場合、より優先度の高いアクティビティはプリエンプトされないことがある。より優先度の高いアクティビティは、シグナリングまたは登録アクティビティ（たとえば、ＬＡＵまたはＲＡＵ）を含み得る。この場合、サブスクリプション優先度付けモジュール１２２は、追加のサブスクリプション１０６ｂによるより優先度の高いアクティビティの完了後に第１のサブスクリプション１０６ａによる同じＴＣ１２０の４つの連続する復号に適応するために、システム情報タイマー１１６を増加させ得る。言い換えれば、サブスクリプション優先度付けモジュール１２２は、追加のサブスクリプション１０６ｂのより優先度の高いアクティビティの完了後に同じＴＣ１２０の４つの連続する復号を行うために、システム情報タイマー１１６を緩和し得る。一実施形態では、システム情報タイマー１１６は、シグナリングアクティビティと４つの連続するＴＣ１２０復号とに適応するために、１２秒に増加させられ得る。
【００７１】
[0077]追加のサブスクリプション１０６ｂがより優先度の高いアクティビティを終了した後に、追加のサブスクリプション１０６ｂはＲＦリソース１１４を解放し得る。サブスクリプション優先度付けモジュール１２２は、次いで、追加のサブスクリプション１０６ｂの他のより優先度の低いアクティビティよりも、第１のサブスクリプション１０６ａによる同じＴＣ１２０の４つの連続する復号を優先させ得る。
【００７２】
[0078]追加のサブスクリプション１０６ｂのアクティビティがプリエンプトされ得るときに、第１のサブスクリプション１０６ａのためのＳＩメッセージ１１２を復号することを優先させることによって、または、追加のサブスクリプション１０６ｂのアクティビティがプリエンプトされ得ないときに、システム情報タイマー１１６を増加させることによって、ワイヤレス通信デバイス１０２は、不要な収集失敗を避け得る。これは、より速いセル収集と改善された電力効率とを生じ得る。たとえば、ワイヤレス通信デバイス１０２は、電力走査を実行することを回避し、したがって、電力を節約し得る。
【００７３】
[0079]図２は、いくつかの実施形態による、拡張システム情報（ＳＩ）１１０復号のための方法２００の流れ図である。方法２００はワイヤレス通信デバイス１０２によって実行され得る。ワイヤレス通信デバイス１０２は、第１のサブスクリプション１０６ａと、少なくとも１つの追加のサブスクリプション１０６ｂとを含み得る。第１のサブスクリプション１０６ａは、セルにキャンプオンするためにシステム情報１１０を収集するための収集状態にあり得る。一実施形態では、第１のサブスクリプション１０６ａはＧＳＭサブスクリプションであり得る。追加のサブスクリプション１０６ｂは、ＧＳＭサブスクリプションであり得るか、または、別の無線アクセスネットワーク（たとえば、ＵＭＴＳ、ＷＣＤＭＡ、ＬＴＥなど）上のサブスクリプションであり得る。
【００７４】
[0080]ワイヤレス通信デバイス１０２は、２０２において、第１のサブスクリプション１０６ａのためのＳＩメッセージ１１２に関連付けられたタイムコード（ＴＣ）１２０を決定する。このことは、図１に関して上記で説明したように、ＳＩメッセージ１１２をＴＣ１２０にマッピングすることによって達成され得る。一構成では、ＳＩメッセージ１１２のスケジューリングおよびＳＩメッセージ１１２に関連付けられたＴＣ１２０は、（表１に示された）システム情報タイプ３（ＳＩ３）メッセージ（ＢＣＣＨ＿ＥＸＴが使用される場合）およびＳＩマッピングから推論され得る。
【００７５】
[0081]ワイヤレス通信デバイス１０２は、２０４において、第１のサブスクリプション１０６ａのための複数のＳＩメッセージ１１２が同じＴＣ１２０上で送られていると決定する。たとえば、ワイヤレス通信デバイス１０２は、ＳＩ２ｔｅｒおよびＳＩ１３が両方ともＴＣ＝４上にスケジュールされていると決定し得る。同じＴＣ１２０上で送られているＳＩメッセージ１１２がある場合、基地局１０４は、ＴＣ１２０の４つの連続する発生のうちのいずれか内で少なくとも１回、ＴＣ１２０上でＢＣＣＨ送信におけるＳＩメッセージ１１２の各々を送り得る。したがって、同じＴＣ１２０上で送られる複数のＳＩメッセージ１１２を収集するために、ワイヤレス通信デバイス１０２は、そのＴＣ１２０の４つの連続する復号を実行し得る。
【００７６】
[0082]ワイヤレス通信デバイス１０２は、２０６において、追加のサブスクリプション１０６ｂのアクティビティがプリエンプトされ得るとき、第１のサブスクリプション１０６ａのためのＳＩメッセージ１１２を復号することを優先させる。たとえば、ワイヤレス通信デバイス１０２は、追加のサブスクリプション１０６ｂが何を行っているかを確認し得る。ワイヤレス通信デバイス１０２は、追加のサブスクリプション１０６ｂのアクティビティがプリエンプトされ得るかどうかを決定し得る。
【００７７】
[0083]ワイヤレス通信デバイス１０２は、追加のサブスクリプション１０６ｂが、第１のサブスクリプション１０６ａによるＳＩメッセージ１１２を復号することよりもより優先度の低いアクティビティを実行しているかどうかを決定し得る。より優先度の低いアクティビティは、同期チャネル（ＳＣＨ）読取り、ブロードキャスト制御チャネル（ＢＣＣＨ）読取り、ページングチャネル（ＰＣＨ）読取り、またはネイバーセル収集を実行することを含み得る。第１のサブスクリプション１０６ａは、追加のサブスクリプション１０６ｂによるこれらのより優先度の低いアクティビティをプリエンプトし得る。したがって、ワイヤレス通信デバイス１０２は、追加のサブスクリプション１０６ｂのアクティビティを実行する前に、第１のサブスクリプション１０６ａによる同じＴＣ１２０の４つの連続する復号を実行することを優先させ得る。
【００７８】
[0084]ワイヤレス通信デバイス１０２が、追加のサブスクリプション１０６ｂがＳＩメッセージ１１２を復号することよりもより優先度の高いアクティビティを実行していると決定した場合、より優先度の高いアクティビティはプリエンプトされないことがある。より優先度の高いアクティビティは、シグナリングまたは登録アクティビティ（たとえば、ＬＡＵまたはＲＡＵ）を含み得る。この場合、ワイヤレス通信デバイス１０２は、追加のサブスクリプション１０６ｂによるより優先度の高いアクティビティの完了後に第１のサブスクリプション１０６ａによる同じＴＣ１２０の４つの連続する復号に適応するために、システム情報タイマー１１６を増加させ得る。
【００７９】
[0085]追加のサブスクリプション１０６ｂがより優先度の高いアクティビティを終了した後に、追加のサブスクリプション１０６ｂはＲＦリソース１１４を解放し得る。ワイヤレス通信デバイス１０２は、次いで、追加のサブスクリプション１０６ｂの他のより優先度の低いアクティビティよりも、第１のサブスクリプション１０６ａによる同じＴＣ１２０の４つの連続する復号を優先させ得る。
【００８０】
[0086]図３に、ＧＳＭにおける例示的なマルチフレーム３３０、フレーム３３２およびバースト３３６のフォーマットを示す。ＧＳＭにおける送信のためのタイムラインは、マルチフレーム３３０に分割される。ユーザ固有データを送信するために使用されるトラフィックチャネルについて、この例での各マルチフレーム３３０は、ＴＤＭＡフレーム０〜２５として標示される２６個のＴＤＭＡフレーム３３２を含む。別の構成では、マルチフレーム３３０は５１個のＴＤＭＡフレームを含み得る。
【００８１】
[0087]トラフィックチャネルは、この例では、各マルチフレーム３３０のＴＤＭＡフレーム０〜１１およびＴＤＭＡフレーム１３〜２４中で送られる（ハーフレートチャネル、またはボイスサービスオーバーアダプティブマルチユーザオンワンスロット（ＶＡＭＯＳ：Voice services over Adaptive Multi-user channels on One Slot）を使用する他のマッピングが可能である）。制御チャネルがＴＤＭＡフレーム１２中で送られる。ネイバー基地局１０４によって送信された信号の測定を行うためにワイヤレス通信デバイス１０２によって使用されるデータは、アイドルＴＤＭＡフレーム２５中で送られない。
【００８２】
[0088]フレーム３３２内の各タイムスロット３３４は、ＧＳＭにおいて「バースト」３３６とも呼ばれる。各バースト３３６は、この例では、２つのテールフィールドと、２つのデータフィールドと、トレーニングシーケンス（またはミッドアンブル）フィールドと、ガード期間（ＧＰ：guard period）とを含む。各フィールド中のシンボルの数が丸括弧内に示されている。バースト３３６は、テールフィールド、データフィールド、およびミッドアンブルフィールドのためのシンボルを含む。シンボルはガード期間中に送られない。特定のキャリア周波数のＴＤＭＡフレームが、マルチフレーム３３０と呼ばれる２６個または５１個のＴＤＭＡフレーム３３２のグループにおいて、番号を付けられ、形成される。
【００８３】
[0089]図４は、本システムおよび方法において使用するための５１フレームマルチフレーム４３８を示すブロック図である。５１フレームマルチフレーム４３８は、走査されたセル（たとえば、走査されたＡＲＦＣＮ）からのものであり得る。異なるチャネルが５１フレームマルチフレーム４３８内の異なるフレームにマッピングされ得る。たとえば、周波数補正チャネル（ＦＣＣＨ）が第１のフレーム（フレーム０）にマッピングされ得る。同期チャネル（ＳＣＨ）がＦＣＣＨの直後にき得る。ブロードキャスト制御チャネル（ＢＣＣＨ）４４０は、フレーム２〜５にマッピングされ得る。特定のフレームへのチャネルのマッピングは、仕様によって固定され得る。
【００８４】
[0090]ＦＣＣＨは、１０個のフレームごと（約５０ｍｓごと）に繰り返され得る。一構成では、ＦＣＣＨは、固定トーンを生成する全０シーケンスを含み得る。いくつかの実装形態では、固定トーンは６７ｋＨｚである。このトーンは、ワイヤレス通信デバイス１０２が、それの局部発振器を基地局１０４クロックトーンにロックすることを可能にする。
【００８５】
[0091]ＦＣＣＨが見つけられる（たとえば、収集される）と、次のフレーム（４．６ｍｓ後）はＳＣＨであることになる。ＳＣＨは、ワイヤレス通信デバイス１０２がワイヤレス通信デバイス１０２のタイミングを基地局１０４と同期させることを可能にし得る。
【００８６】
[0092]５１フレームマルチフレーム４３８は、他の情報をも含み得る。この情報は、共通制御チャネル（ＣＣＣＨ）と、スタンドアロン専用制御チャネル（ＳＤＣＣＨ：stand-alone dedicated control channel）と、低速付随制御チャネル（ＳＡＣＣＨ：slow associated control channel）とを含み得る。
【００８７】
[0093]図５に、ブロードキャスト制御チャネル（ＢＣＣＨ）５４０とタイムコード（ＴＣ）５２０とのマッピングの一例を示す。マルチフレーム５３８中の各フレームは、フレーム番号５４２を有し得る。５１フレームマルチフレーム５３８の場合、ブロードキャスト制御チャネル（ＢＣＣＨ）５４０は、フレーム２〜５にマッピングされ得る。５１フレームマルチフレーム５３８の送信は、約２３５ミリ秒（ｍｓ）かかり得る。ハイパーフレーム５４６は、５３，２４８個のマルチフレーム５３８を含み得る。ハイパーフレーム５４６中の各マルチフレーム５３８は、マルチフレーム番号５４４を有し得る。
【００８８】
[0094]各マルチフレーム５３８はＴＣ５２０に関連付けられ得る。ＴＣは、ＳＩメッセージ１１２がその中で送信され得るマルチフレーム５３８を示すパラメータである。一実施形態では、ＴＣ５２０は８マルチフレームサイクルを有する。この８マルチフレームサイクルは、完了するのに１．８８秒かかり得る。システム情報（ＳＩ）メッセージ１１２は、表２のマッピングに従って異なるＢＣＣＨ５４０中で送られ得る。表２は、ＳＩメッセージ１１２が送られる頻度をも含む。
【００８９】
【表２】
2017525211.tif 000004
【００９０】
[0095]一例として、システム情報タイプ１（ＳＩ１）は、ＴＣ＝０上で送られる。したがって、ＳＩ１メッセージは、マルチフレーム０（たとえば、マルチフレーム番号＝０）のＢＣＣＨ５４０中で送られる。ＳＩ１メッセージの送信は、マルチフレーム８で繰り返され、以下同様である。
【００９１】
[0096]図６は、いくつかの実施形態による、拡張システム情報（ＳＩ）１１０復号のための詳細な方法６００の流れ図である。方法６００はワイヤレス通信デバイス１０２によって実行され得る。ワイヤレス通信デバイス１０２は、第１のサブスクリプション１０６ａと、少なくとも１つの追加のサブスクリプション１０６ｂとを含み得る。第１のサブスクリプション１０６ａは、セルにキャンプオンするためにシステム情報１１０を収集するための収集状態にあり得る。
【００９２】
[0097]ワイヤレス通信デバイス１０２は、６０２において、第１のサブスクリプション１０６ａのためのＳＩメッセージ１１２に関連付けられたタイムコード（ＴＣ）１２０を決定する。これは、図１に関して上記で説明したように達成され得る。
【００９３】
[0098]ワイヤレス通信デバイス１０２は、６０４において、第１のサブスクリプション１０６ａのための複数のＳＩメッセージ１１２が同じＴＣ１２０上で送られていると決定する。たとえば、ワイヤレス通信デバイス１０２は、ＳＩ２ｔｅｒおよびＳＩ１３が両方ともＴＣ＝４上にスケジュールされていると決定し得る。別の例では、ワイヤレス通信デバイス１０２は、ＳＩ２ｂｉｓおよびＳＩ２ｑｕａｒｔｅｒが両方ともＴＣ＝５上にスケジュールされていると決定し得る。
【００９４】
[0099]ワイヤレス通信デバイス１０２は、６０６において、追加のサブスクリプション１０６ｂがより優先度の低いアクティビティを実行しているかどうかを決定し得る。より優先度の低いアクティビティは、同期チャネル（ＳＣＨ）読取り、ブロードキャスト制御チャネル（ＢＣＣＨ）読取り、ページングチャネル（ＰＣＨ）読取り、またはネイバーセル収集を実行することを含み得る。追加のサブスクリプション１０６ｂがより優先度の低いアクティビティを実行している場合、第１のサブスクリプション１０６ａは、これらのより優先度の低いアクティビティをプリエンプトし得る。ワイヤレス通信デバイス１０２は、６０８において、追加のサブスクリプション１０６ｂのアクティビティを実行する前に、第１のサブスクリプション１０６ａによる同じＴＣ１２０の４つの連続する復号を実行する。
【００９５】
[00100]ワイヤレス通信デバイス１０２が、６０６において、追加のサブスクリプション１０６ｂがＳＩメッセージ１１２を復号することよりもより優先度の高いアクティビティを実行していると決定した場合、より優先度の高いアクティビティはプリエンプトされないことがある。ワイヤレス通信デバイス１０２は、６１０において、追加のサブスクリプション１０６ｂのより優先度の高いアクティビティを実行する。より優先度の高いアクティビティは、シグナリングまたは登録アクティビティ（たとえば、ＬＡＵまたはＲＡＵ）を含み得る。
【００９６】
[00101]ワイヤレス通信デバイス１０２は、６１２において、第１のサブスクリプション１０６ａによる同じＴＣ１２０の４つの連続する復号に適応するために、システム情報タイマー１１６を増加させる。追加のサブスクリプション１０６ｂがより優先度の高いアクティビティを終了した後、ワイヤレス通信デバイス１０２は、次いで、６０８において、追加のサブスクリプション１０６ｂの他のより優先度の低いアクティビティを実行する前に、第１のサブスクリプション１０６ａによる同じＴＣ１２０の４つの連続する復号を実行する。
【００９７】
[00102]図７は、いくつかの実施形態による、拡張システム情報（ＳＩ）１１０復号のための別の詳細な方法７００の流れ図である。方法７００はワイヤレス通信デバイス１０２によって実行され得る。ワイヤレス通信デバイス１０２は、第１のサブスクリプション１０６ａと、少なくとも１つの追加のサブスクリプション１０６ｂとを含み得る。第１のサブスクリプション１０６ａは、７０２において、セルにキャンプオンするためにシステム情報収集状態に入る。
【００９８】
[00103]ワイヤレス通信デバイス１０２は、７０４において、ＳＩメッセージ１１２が第１のサブスクリプション１０６ａのための同じタイムコード（ＴＣ）１２０上で送られるかどうかを決定し得る。ＳＩメッセージが同じＴＣ１２０上で送られない場合、ワイヤレス通信デバイス１０２は、７０６において、優先度に従ってＳＩメッセージ１１２を読み取る。ＳＩメッセージ１１２読取り優先度は、反対のサブスクリプション１０６が何のアクティビティを行っているかに依存し得る。反対のサブスクリプション１０６が登録（たとえば、ＬＡＵ／ＲＡＵ）またはボイス呼を実行している場合、ＳＩメッセージ１１２読取りは、より低い優先度を与えられることになる。そうではなく、反対のサブスクリプション１０６アクティビティがプリエンプトされ得る場合、ＳＩメッセージ１１２読取りは、より高い優先度を与えられることになる。ＳＩメッセージ１１２の完全セットを収集すると、第１のサブスクリプション１０６ａは、７０８において、キャンプ状態に入る（たとえば、ワイヤレス通信デバイス１０２は、第１のサブスクリプション１０６ａのためのセルにキャンプオンし得る）。
【００９９】
[00104]ワイヤレス通信デバイス１０２が、７０４において、ＳＩメッセージ１１２が同じＴＣ１２０上で送られると決定した場合、ワイヤレス通信デバイス１０２は、１つまたは複数の追加のサブスクリプション１０６ｂのアクティビティがプリエンプトされ得るかどうかを決定するために、１つまたは複数の追加のサブスクリプション１０６ｂが何を行っているかを確認し得る。
【０１００】
[00105]ワイヤレス通信デバイス１０２が、７１０において、追加のサブスクリプション１０６ｂが登録（たとえば、ＬＡＵ／ＲＡＵ）またはシグナリングアクティビティを実行していると決定した場合、これは、第１のサブスクリプション１０６ｂのＳＩ復号よりもより優先度の高いアクティビティである。このより優先度の高いアクティビティは、プリエンプトされないことがある。したがって、ワイヤレス通信デバイス１０２は、７１２において、ロケーションエリア更新（ＬＡＵ）／ローミングエリア更新（ＲＡＵ）を実行する。
【０１０１】
[00106]ワイヤレス通信デバイス１０２は、７１４において、第１のサブスクリプション１０６ａのシステム情報タイマー１１６を１２秒に増加させる。第１のサブスクリプション１０６ａのシステム情報タイマー１１６は、登録プロシージャが約３秒であり、同じＴＣ１２０の４つの連続する復号が約７．５２秒であるので、１２秒に増加され得る。
【０１０２】
[00107]追加のサブスクリプション１０６ｂが登録（たとえば、ＬＡＵ／ＲＡＵ）を実行し終わると、次いで、ワイヤレス通信デバイス１０２は、７１６において、第１のサブスクリプション１０６ａのＳＩ復号を優先させる。これは、１つまたは複数の追加のサブスクリプション１０６ｂの他のより優先度の低いアクティビティを実行する前に、第１のサブスクリプション１０６ａによる同じＴＣ１２０の４つの連続する復号を実行することを含み得る。第１のサブスクリプション１０６ａは次いで、７０８において、キャンプ状態に入る。
【０１０３】
[00108]ワイヤレス通信デバイス１０２が、７０４において、ＳＩメッセージ１１２が同じＴＣ１２０上で送られると決定した場合、ワイヤレス通信デバイス１０２は、追加のサブスクリプション１０６ｂがより優先度の低いアクティビティを実行していると決定し得る。ある場合には、ワイヤレス通信デバイス１０２は、７１８において、追加のサブスクリプション１０６ｂが、第１のサブスクリプション１０６ｂとの同期チャネル（ＳＣＨ）またはブロードキャスト制御チャネル（ＢＣＣＨ）衝突を有すると決定する。別の場合には、ワイヤレス通信デバイス１０２は、７２０において、追加のサブスクリプション１０６ｂが、第１のサブスクリプション１０６ｂとのページングチャネル（ＰＣＨ）衝突を有すると決定する。また別の場合には、ワイヤレス通信デバイス１０２は、７２２において、追加のサブスクリプション１０６ｂが第１のサブスクリプション１０６ａとのネイバーセル収集衝突を有すると決定する。これらの場合、第１のサブスクリプション１０６ａは、追加のサブスクリプション１０６ｂのより優先度の低いアクティビティをプリエンプトし得る。
【０１０４】
[00109]ワイヤレス通信デバイス１０２は、７１６において、１つまたは複数の追加のサブスクリプション１０６ｂのより優先度の低いアクティビティ（たとえば、ＳＣＨ／ＢＣＣＨ読取り、ＰＣＨ読取り、および／またはネイバーセル収集）よりも第１のサブスクリプション１０６ａのＳＩ復号を優先させる。これは、追加のサブスクリプション１０６ｂのより優先度の低いアクティビティを実行する前に、第１のサブスクリプション１０６ａによる同じＴＣ１２０の４つの連続する復号を実行することを含み得る。第１のサブスクリプション１０６ａは次いで、７０８において、キャンプ状態に入る。
【０１０５】
[00110]図８に、いくつかの実施形態による、ワイヤレス通信デバイス８０２内に含まれ得るいくつかの構成要素を示す。ワイヤレス通信デバイス８０２は、上記で説明したワイヤレス通信デバイス１０２に従って実装され得る。ワイヤレス通信デバイス８０２は、アクセス端末、移動局、ユーザ機器などであり得る。ワイヤレス通信デバイス８０２はプロセッサ８０３を含む。プロセッサ８０３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ８０３は中央処理ユニット（ＣＰＵ）と呼ばれることがある。図８のワイヤレス通信デバイス８０２中に単一のプロセッサ８０３のみが示されているが、代替構成では、プロセッサの組合せ（たとえば、ＡＲＭとＤＳＰ）が使用され得る。
【０１０６】
[00111]ワイヤレス通信デバイス８０２はメモリ８０５をも含む。メモリ８０５は、電子情報を記憶することが可能な任意の電子的構成要素であり得る。メモリ８０５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、消去可能プログラマブル読取り専用メモリ（ＥＰＲＯＭ）、電気消去可能ＰＲＯＭ（ＥＥＰＲＯＭ）、レジスタなど、およびそれらの組合せとして組み込まれ得る。
【０１０７】
[00112]データ８０７ａおよび命令８０９ａがメモリ８０５に記憶され得る。命令８０９ａは、本明細書で開示する方法を実装するためにプロセッサ８０３によって実行可能であり得る。命令８０９ａを実行することは、メモリ８０５に記憶されたデータ８０７ａの使用を伴い得る。プロセッサ８０３が命令８０９ａを実行すると、命令８０９ｂの様々な部分がプロセッサ８０３上にロードされ得、様々ないくつかのデータ８０７ｂがプロセッサ８０３上にロードされ得る。
【０１０８】
[00113]ワイヤレス通信デバイス８０２はまた、ワイヤレス通信デバイス８０２との間での信号の送信および受信を可能にするために、１つまたは複数の送信機８１１と受信機８１３とを含み得る。送信機８１１および受信機８１３は、トランシーバ８１５と総称されることがある。複数のアンテナ８２０ａ〜ｎはトランシーバ８１５に電気的に結合され得る。ワイヤレス通信デバイス８０２は、複数の送信機、複数の受信機、複数のトランシーバ、および／または追加のアンテナをも含み得る（図示せず）。
【０１０９】
[00114]ワイヤレス通信デバイス８０２はデジタル信号プロセッサ（ＤＳＰ）８２１を含み得る。ワイヤレス通信デバイス８０２は通信インターフェース８２３をも含み得る。通信インターフェース８２３は、ユーザがワイヤレス通信デバイス８０２と対話することを可能にし得る。
【０１１０】
[00115]ワイヤレス通信デバイス８０２の様々な構成要素は、電力バス、制御信号バス、ステータス信号バス、データバスなどを含み得る、１つまたは複数のバスによって互いに結合され得る。明快のために、図８では様々なバスはバスシステム８１９として示されている。
【０１１１】
[00116]本明細書で説明した技法は、直交多重化方式に基づく通信システムを含む様々な通信システムのために使用され得る。そのような通信システムの例としては、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【０１１２】
[00117]上記の説明では、様々な用語とともに参照番号を時々使用した。用語が参照番号とともに使用されている場合、これは、図のうちの１つまたは複数に示されている特定の要素を指すものとされる。用語が参照番号なしに使用されている場合、これは、概して特定の図に限定されない用語を指すものとされる。
【０１１３】
[00118]「決定すること」という用語は、多種多様なアクションを包含し、したがって、「決定すること」は、計算すること（calculating）、計算すること（computing）、処理すること、導出すること、調査すること、ルックアップすること（たとえば、テーブル、データベースまたは別のデータ構造においてルックアップすること）、確認することなどを含むことができる。また、「決定すること」は、受信すること（たとえば、情報を受信すること）、アクセスすること（たとえば、メモリ中のデータにアクセスすること）などを含むことができる。また、「決定すること」は、解決すること、選択すること、選定すること、確立することなどを含むことができる。
【０１１４】
[00119]「に基づいて」という句は、別段に明示されていない限り、「のみに基づいて」を意味しない。言い換えれば、「に基づいて」という句は、「のみに基づいて」と「に少なくとも基づいて」の両方を表す。
【０１１５】
[00120]「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指すことがある。
【０１１６】
[00121]「メモリ」という用語は、電子情報を記憶することが可能な任意の電子的構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなど、様々なタイプのプロセッサ可読媒体を指すことがある。プロセッサがメモリから情報を読み取り、および／または情報をメモリに書き込むことができる場合、メモリはプロセッサと電子通信していると言われる。プロセッサに一体化されたメモリは、プロセッサと電子通信している。
【０１１７】
[00122]「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備え得る。
【０１１８】
[00123]本明細書で説明した機能は、ハードウェアによって実行されているソフトウェアまたはファームウェアで実装され得る。機能は、１つまたは複数の命令としてコンピュータ可読媒体上に記憶され得る。「コンピュータ可読媒体」または「コンピュータプログラム製品」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備え得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。コンピュータ可読媒体は有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【０１１９】
[00124]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線およびマイクロ波などのワイヤレス技術は、伝送媒体の定義に含まれる。
【０１２０】
[00125]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、説明した方法の適切な動作のためにステップまたはアクションの特定の順序が必要とされない限り、特定のステップおよび／またはアクションの順序および／または使用は、特許請求の範囲を逸脱することなく修正され得る。
【０１２１】
[00126]さらに、図２、図６および図７によって示されたものなど、本明細書で説明した方法および技法を実行するためのモジュールおよび／または他の適切な手段は、デバイスによってダウンロードおよび／または他の方法で取得され得ることを諒解されたい。たとえば、デバイスは、本明細書で説明した方法を実行するための手段の転送を可能にするために、サーバに結合され得る。代替的に、本明細書で説明した様々な方法は、デバイスが、記憶手段をそのデバイスに結合するかまたは与えると様々な方法を取得し得るように、記憶手段（たとえば、ランダムアクセスメモリ（ＲＡＭ）、読取り専用メモリ（ＲＯＭ）、コンパクトディスク（ＣＤ）またはフロッピーディスクなどの物理記憶媒体など）によって与えられ得る。その上、本明細書で説明した方法および技法をデバイスに提供するための任意の他の好適な技法が利用され得る。たとえば、本明細書で説明した方法のうちいくつかは、プロセッサ８０３、１つまたは複数の局部発振器（ＬＯ）、広帯域受信機高速フーリエ変換（ＦＦＴ）ハードウェア、ソフトウェアおよび／またはファームウェアによって実行され得る。
【０１２２】
[00127]特許請求の範囲は、上記に示した厳密な構成および構成要素に限定されないことを理解されたい。特許請求の範囲から逸脱することなく、本明細書で説明したシステム、方法、および装置の動作および詳細において、様々な修正、変更および変形が行われ得る。
【図１】
2017525211.tif 000005
【図２】
2017525211.tif 000006
【図３】
2017525211.tif 000007
【図４】
2017525211.tif 000008
【図５】
2017525211.tif 000009
【図６】
2017525211.tif 000010
【図７】
2017525211.tif 000011
【図８】
2017525211.tif 000012
【国際調査報告】
2017525211.tif 000013
2017525211.tif 000014
2017525211.tif 000015